(57)【要約】  【課題】  蛍光物質を利用した新規な形状、構成の発光性構造物を提供する。  【解決手段】  発光性構造物（パネル組立）１は、対向して配置された、透明な表板２及び裏板３と、透明な内周側板４と、外周側板５とから構成される。表板２及び裏板３と、内周側板４の間に形成された空間Ｓには蛍光物質を含有した液状、ゾル状、ゲル状又は固体状の内容物６が収容されている。外周側板５の内側には、内容物６を照射するＬＥＤランプ７が配設されている。ＬＥＤランプ７から内容物６に光を照射して発生する蛍光は表板２及び裏板３から発せられる。【選択図】  図１
2009072937.tif 000002
【特許請求の範囲】
【請求項１】
対向して配置された、少なくとも一方が透明な表板及び裏板と、
前記表板及び裏板との間に形成された空間に収容された、蛍光物質を含有した液状、ゾル状、ゲル状又は固体状の内容物と、
該内容物を照射する光源と、
を具備し、
前記光源から前記内容物に光を照射して発生する蛍光が前記表板及び／又は裏板から発せられることを特徴とする発光性構造物。
【請求項２】
周囲の一部又は全部が透明な容器と、
該容器内に収容された、蛍光物質に芳香機能物質、消臭機能物質及び除湿機能物質のうち少なくとも一つの機能物質を付加した液状、ゾル状、ゲル状又は固体状の内容物と、
該内容物を照射する光源と、
を具備し、
前記光源から前記内容物に光を照射して発生する蛍光を前記容器から発することを特徴とする発光性構造物。
【請求項３】
前記内容物が入れ替え可能であることを特徴とする請求項１又は２記載の発光性構造物。
【請求項４】
底板及び側壁とを有する槽であって、
前記側壁の少なくとも一部が、前記表板と裏板とが透明である請求項１記載の発光性構造物からなることを特徴とする槽。
【請求項５】
底板及び側壁とを有するディスプレイケースであって、
前記側壁の少なくとも一部が、前記表板と裏板とが透明である請求項１記載の発光性構造物からなることを特徴とするディスプレイケース。
【発明の詳細な説明】
【技術分野】
【０００１】
本発明は、蛍光物質に光を照射して発生する蛍光を透明な板などを通して発する発光性構造物に関する。具体的には、窓ガラス、壁面や床面を装飾するパネル、置物、水槽などであり、さらには、芳香剤や消臭剤、除湿剤などにも適用できる。
【背景技術】
【０００２】
インテリア用品やエクステリア用品には、蛍光物質や蓄光物質などの発光体を備えて装飾効果を高めたものがある。例えば、本発明者らは、植物に蛍光物質含有溶液を投与して同液を吸収させ、この植物に紫外線を照射することで植物を発光させる装置を提案した（例えば、特許文献１参照）。また、車内や室内に置かれる芳香剤として、芳香液に着色剤と蛍光増白剤とを含有させたものが開示されている（例えば、参考文献２参照）。
【０００３】
【特許文献１】特開２００５−２５４９０７
【特許文献２】特開２００３−０１０３０４
【発明の開示】
【発明が解決しようとする課題】
【０００４】
本発明は、蛍光物質を利用した新規な形状、構成の発光性構造物を提供することを目的とする。
【課題を解決するための手段】
【０００５】
本発明の第１の発光性構造物は、  対向して配置された、少なくとも一方が透明な表板及び裏板と、  前記表板及び裏板との間に形成された空間に収容された、蛍光物質を含有した液状、ゾル状、ゲル状又は固体状の内容物と、  該内容物を照射する光源と、を具備し、  前記光源から前記内容物に光を照射して発生する蛍光が前記表板及び／又は裏板から発せられることを特徴とする。
【０００６】
本発明の発光性構造物の具体的な形態は、窓ガラス、壁面や床面に埋め込まれるパネル、庭の飛び石、水槽、額縁、置物などである。本発明によれば、蛍光を発することにより、美的効果や装飾効果、癒し効果を与えることができるとともに、夜間でもその構造物の存在をアピールできる。
【０００７】
内容物の状態は、液状、ゾル状、ゲル状、固体状とすることができる。ゲルや固体の場合も、一つの塊としたり、多数のサイコロ状や球状、不定形等の塊とすることができる。
【０００８】
蛍光物質としては、染料系蛍光物質、生体用標識系蛍光物質等を挙げることができる。
染料系蛍光物質としては、チオフラビン、ジアミノスチルベンゼン塩酸塩、ウラニン、リン酸リボフラビンナトリウム、ローダミン、エオシン、テキサスレッド（Ｔｅｘａｓ  Ｒｅｄ（商品名））、ポリフィリン類等を挙げることができる。ローダミンとしては、ローダミンＢ、ローダミンＧ、ローダミン６Ｇを挙げることができる。エオシンとしては、エオシンＢ、エオシンＹを挙げることができる。
【０００９】
生体用標識系蛍光物質としては、アレキサフローラ、４，６−ジアミジノ−２−フェニルインドール（ＤＡＰＩ・ＨＣｌ）（４，６−ｄｉａｍｉｄｉｎｏ−２−ｐｈｅｎｙｌ  ｉｎｄｏｌｅ・ＨＣｌ）、７−アミノ−４−メチルクマリン−３−酢酸（ＡＭＣＡ）（７−ａｍｉｎｏ−４−ｍｅｔｈｙｌｃｏｕｍａｒｉｎ−３−ａｃｅｔｉｃ  ａｃｉｄ）、ビス−アミノフェニル−オキサジアゾール−フォイルゲン（ｂｉｓ−ａｍｉｎｏｐｈｅｎｙｌ−ｏｘａｄｉａｚｏｌｅ−ｆｅｕｌｇｅｎ）、カルセインブルー（ｃａｌｃｅｉｎ  ｂｌｕｅ）、カスケードブルー（ｃａｓｃａｄｅ  ｂｌｕｅ）、クマリンマレイミド（ｃｕｍａｒｉｎ  ｍａｌｅｉｍｉｄｅ）、ダンシルクロライド（ｄａｎｓｙｌ  ｃｈｌｏｒａｉｄｅ）、ダンシルヒドラジン（ｄａｎｓｙｌ  ｈｙｄｒａｚｉｎｅ）、ジメチルアミノナフタレン−５−スルフォン酸（ｄｉｍｅｔｈｙｌａｍｉｎｏｎａｐｈｔｈａｌｅｎｅ−５−ｓｕｌｆｏｎｉｃ  ａｃｉｄ）（ＤＡＮＳ）、ジフェニルヘキサトリエン（ｄｉｐｈｅｎｙｌｈｅｘａｔｒｉｅｎｅ）（ＤＰＨ）、ファーストブルー（ｆａｓｔ  ｂｌｕｅ）、グラニューラルブルー（ｇｒａｎｕｌａｒ  ｂｌｕｅ）、ヘキスト３３２５８（Ｈｏｅｃｈｓｔ３３２５８）、ヘキスト３３３４２（Ｈｏｅｃｈｓｔ３３３４２）、ミトラマイシン（ｍｉｔｒａｍｙｃｉｎ）、Ｏ−フタルアルデヒド（Ｏ−ｐｈｔａｌａｌｄｅｈｙｄｅ）（ＯＰＴ）、セロトニン（ｓｅｒｏｔｏｎｉｎ）等を挙げることができる。
【００１０】
アレキサフローラとしては、アレキサフローラ３５０（ＡｌｅｘａＦｌｕｏｒ−３５０（商品名））、アレキサフローラ４３０（商品名）、アレキサフローラ５３２（商品名）、アレキサフローラ５４６（商品名）、アレキサフローラ５６８（商品名）、アレキサフローラ５９４（商品名）等を挙げることができる。
【００１１】
このような蛍光物質をゲル化、固体化、ゾル化するためのゲル化剤、固形化剤、粘性液化剤としては、例えば、ゼラチン、カラギーナン、キサンタンガム、ローカストビーンガム、寒天、トウモロコシデンプン、バレイショデンプン等のデンプン、加工デンプン、カルボキシビニルポリマー、カルボキシメチルセルロースナトリウム、ヒドロキシプロピルセルロース、ヒドロキシエチルメチルセルロース、ヒプロメロース、ヒプロメロースフタル酸エステル、メチルセルロース、ペクチン、アルギンサンナトリウム、タマリンドガム、アラビアガム、トラガントガム、グアーガム、ファーセレラン等を挙げることができる。
【００１２】
光源としては、波長が２００〜４５０ｎｍ、好ましくは２５０〜４００ｎｍの紫外領域の光を放出する発光ダイオード又はブラックライトが好ましい。波長が３００ｎｍ以下の紫外線は、人体、特に目に好ましくない影響を及ぼす場合があるので、この領域の紫外線を放出する光源を使用する場合は、遮断フィルタを取り付けることが好ましい。
光源の電源としては、構造物に内蔵される乾電池やボタン電池などが使用されるが、コンセントなどに接続する電気コードが設けられているものでもよい。
【００１３】
本発明の第２の発光性構造物は、  周囲の一部又は全部が透明な容器と、  該容器内に収容された、蛍光物質に、芳香機能物質、消臭機能物質及び除湿機能物質のうち少なくとも一つの機能物質を付加した液状、ゾル状、ゲル状又は固体状の内容物と、  該内容物を照射する光源と、を具備し、  前記光源から前記内容物に光を照射して発生する蛍光を前記容器から発することを特徴とする。
【００１４】
本発明によれば、蛍光物質の発光という装飾効果の他に、芳香機能、消臭機能、除湿機能などの機能を付加できる。具体的な形態としては、室内や車内に設置される芳香剤や消臭剤、除湿剤に適用できる。
【００１５】
芳香機能物質としては、芳香香料に、必要に応じて酸化防止剤（ビタミンＥ、ビタミンＣ、エリソルビン酸等）、防腐剤（安息香酸、安息香酸ナトリウム、パラオキシ安息香酸エステル、ソルビン酸等）を加えた物である。さらに、グリセリン、プロピレングリコール、ジエチレングリコール、エタノール、メタノール、イソプロピルアルコール等、界面活性剤（ポリオキシエチレン硬化ヒマシ油、ポリオキシエチレンセチルエーテル、ポリオキシエチレンラウリエーテル、ジポリオキシエチレンオレイルエーテルリン酸ナトリウム、ポリソルベート等）、ｐＨ調整剤（クエン酸、クエン酸ナトリウム、炭酸ナトリウム、リン酸、リン酸ナトリウム等）等を加えても良い。
【００１６】
消臭機能物質としては、活性炭、やしがら活性炭等を挙げることができる。さらに、上述の酸化防止剤、防腐剤、アルコール類、界面活性剤、ｐＨ調整剤等を加えても良い。
【００１７】
除湿機能物質としては、主成分として、塩化カルシウム、シリカゲル、硫酸ナトリウム等がある。さらに、上述の酸化防止剤、防腐剤、アルコール類、界面活性剤、ｐＨ調整剤等を加えても良い。
【００１８】
本発明においては、  前記内容物が入れ替え可能であることとすれば、発光させる光の色を変えることができる。
【００１９】
本発明を適用した例としては、  底板及び側壁とを有する槽であって、  前記側壁の少なくとも一部が、前記表板と裏板とが透明である前記発光性構造物からなることを特徴とする槽や、  底板及び側壁とを有するディスプレイケースであって、  前記側壁の少なくとも一部が、前記表板と裏板とが透明である前記記載の発光性構造物からなることを特徴とするディスプレイケースを挙げることができる。
【発明の効果】
【００２０】
以上の説明から明らかなように、本発明によれば、窓ガラス、壁面や床面に埋め込まれるパネル、庭の飛び石、水槽、額縁、置物などのインテリア用品、エクステリア用品などの発光性構造物や、室内や車内に設置される芳香剤や消臭剤、除湿剤などに発光機能を付加したものを提供できる。
【発明を実施するための形態】
【００２１】
以下、本発明の実施の形態について、図面を参照しながら詳細に説明する。
図１は、本発明の第１の実施の形態に係る発光性構造物（窓ガラス、壁パネル又は床パネル）の構成を示す図であり、図１（Ａ）は全体の斜視図、図１（Ｂ）は一部断面平面図である。
この例の発光性構造物は、図１（Ａ）に示すように、全体として平たい直方体状のパネル組立１である。このパネル組立１は、対向して配置された表板２及び裏板３、内周側板４及び外周側板５、表板２、裏板３及び内周側板４により形成された空間Ｓに収容された蛍光物質入りの内容物６、内容物６を照射するＬＥＤランプ（光源）７、を有する。
【００２２】
表板２及び裏板３は、同じ方形の形状で、透明な方形の中央部２ａ、３ａと、透明又は不透明な周囲部２ｂ、３ｂとを有する。表板２及び裏板３は、例えば、ガラスやプラスチックで作製され、寸法や材質は使用目的に応じて選定される。
【００２３】
内周側板４は、表板中央部２ｂの外周と裏板中央部３ｂの外周との間に固定されており、表板中央部２ｂ、裏板中央部３ｂと内周側板４とにより、液密な空間Ｓが形成される。この空間Ｓに液状などの内容物６が収容される。内周側板４の一つの側面には、内容物を入れ替えるための入口４ａと出口４ｂが設けられている。内周側板４は、透明なガラスやプラスチックで作製される。
【００２４】
内容物６としては、例えば、ローダミンＢを使用することができる。
【００２５】
外周側板５は、表板２の外周と裏板３の外周との間に配置されている。外周側板５は、全部又は一部（内周側板４の、内容物入れ替え用入口４ａ及び出口４ｂが設けられている面に対向する面）が取り外し可能であってもよい。外周側板５は、透明又は不透明なガラスやプラスチックで作製される。
【００２６】
図１（Ｂ）に示すように、外周側板５の内面には、単数又は複数のＬＥＤランプ７が周方向に並んで取り付けられている。これらのＬＥＤランプ７は、取り外し可能な外周側板５に取り付けられた電池（乾電池やボタン電池など）８によって点灯される。ＬＥＤランプ７は、例えば、３００〜４００ｎｍの波長を発するものが使用される。なお、電池８ではなく、別の電源に接続できる電気コードを設けてもよい。
なお、光源が波長３００ｎｍ以下の紫外線を含む場合は、これらの短波長紫外線を遮断するフィルタを取り付けることが好ましい。
【００２７】
ＬＥＤランプ７を点灯させると、光は透明な内周側板４を通して空間Ｓ内の蛍光物質入り内容物６に照射され、同内容物６から橙赤色の蛍光が発生する。この蛍光は、表板２及び裏板３の透明な中央部２ｂ、３ｂから発せられる。
【００２８】
蛍光物質入り内容物６の種類やＬＥＤランプ７の波長を変更することにより、表１に示すように、様々な色の蛍光を発光させることができる。内容物６を入れ替える際は、外周側弁５を外して内周側板４に設けられた入口４ａ及び出口４ｂを使用する。
【表１】
2009072937.tif 000003
【００２９】
このパネル組立１の応用例を挙げる。
（１）装飾性の置物：表板及び裏板の形状は、三角形や円形、星型など様々なデザイン性のある形状としてもよい。また、発光色の異なるものを複数組合わせてもよい。
（２）窓ガラス：この場合は、パネル組立が広く、厚さの薄いものとする。
（３）床パネルや壁パネル：パネル組立を床や壁の一部に埋め込んでも全面に敷き詰めてもよい。この場合も、表板及び裏板の形状は、三角形や円形など様々な形状としてもよく、発光色の異なる物を複数組み合わせて配置してもよい。この場合は、パネル組立の各部は高強度の材料で作製する。また、裏板は透明でなくともよい。
（４）庭の飛び石：この場合、庭に載置するだけでもよく、埋め込んでもよい。この場合、表板及び裏板は飛び石を模した形状とする。この場合も、パネル組立の各部材は高強度の材料で作製する。
（５）額縁。
【００３０】
図２は、本発明の第２の実施の形態に係る発光性構造物（水槽）の構造を示す斜視図である。
この例の発光性構造物は水槽２１であり、内周側板（裏板）２２と外周側板（表板）２３とからなる二重の側板と、底板２４と、蓋部材２５とで構成される。
【００３１】
内周側板２２と外周側板２３との間の、環状の空間Ｓには蛍光物質入り内容物２６が収容される。蛍光物質２６としては、例えば、ウラニンを使用することができる。
なお、水槽２１の上端からやや下方の高さ位置に、環状空間Ｓを塞ぐ透明な天板を設けて、環状空間Ｓを密閉してもよい。この場合は、外周側板２２又は底板２４に、蛍光物質入り内容物２６入れ替え用の入口と出口を設ける。
【００３２】
内周側板２２と外周側板２３との間の環状空間Ｓの上開口は、枠状の蓋部材２５で塞がれる。この枠状蓋部材２５の裏面には、単数又は複数のＬＥＤランプ２７が周方向に並んで取り付けられている。これらのＬＥＤランプ２５は、枠状蓋部材２５の裏面に取り付けられた電池（乾電池やボタン電池など、図示されず）によって点灯される。ＬＥＤランプ２７は、例えば、３８０〜４００ｎｍの波長を発するものが使用される。
【００３３】
ＬＥＤランプ２７を点灯させると、光は環状空間Ｓ内の蛍光物質入り内容物２６に照射され（天板がある場合は天板を通して）、同内容物２６から黄緑色の蛍光が発生する。この蛍光は、透明な側板２２、２３から発せられる。
【００３４】
本実施例では、水槽について説明したが、装飾品や記念品をディスプレイするディスプレイケースとして使用することもできる。この場合は、槽にディスプレイする物品を入れる。
【００３５】
図３は、本発明の第３の実施の形態に係る発光性構造物（芳香剤）の構造を示す斜視図である。
この例の発光性構造物は、室内用又は車内用の芳香剤３１である。この芳香剤３１は、透明な容器本体３２と、一部が通気性を有するキャップ３３とを有する。
【００３６】
容器３２内には、蛍光物質が混合された芳香物質３６が収容されている。芳香物質３６としては、例えば、溶解させた寒天に安息香酸ナトリウムやグリセリンを加えて溶解させたものに、エオシンＧＹを加えて溶解させたゲル状の蛍光材料に、香料を加えたものなどを使用できる。
【００３７】
キャップ３３の上面の裏側には、ＬＥＤランプ３７が取り付けられている。これらのＬＥＤランプ３５は、キャップ３３の裏面に取り付けられた電池（乾電池やボタン電池など）３８によって点灯される。ＬＥＤランプ３７は、例えば、３８０〜４００ｎｍの波長を発するものが使用される。
【００３８】
ＬＥＤランプ３７を点灯させると、光は蛍光物質入りの芳香物質３６に照射され、同芳香物質３６から黄色の蛍光が発生する。この発光は、透明な容器３２から発せられる。
【００３９】
なお、除湿剤に適用する場合は、容器３２の下方に吸湿した水分を溜めておく水溜スペースを設けておく。除湿剤においては、吸湿するに従い、蛍光色が徐々に発現し、吸湿が増すほどその蛍光色が強く発現してくる。
【実施例】
【００４０】
図３の芳香剤の一例を説明する。
以下に示す材料を準備した。
寒天：８重量％、
グリセリン：３重量％
安息香酸ナトリウム：０．５重量％、
香料（ラベンダー）：５．０重量％、
エオシンＧＹ（蛍光物質）：０．０２重量％、
水：８３．４８重量％。
【００４１】
水を８０℃に加熱し、寒天を加えて溶解させた。この溶解液に、グリセリン、安息香酸ナトリウムを加えて溶解させた。この溶液を室温に冷却し、エオシンＧＹを加えて溶解した後、香料を加えて均一に撹拌し室温で放置した。その後、溶液はゲル状となった。
【００４２】
このゲルを容器に入れ、ＬＥＤランプとして紫外発光ダイオードを使用して、ランプを点灯させると、ゲルは薄暗い所や夜に、黄色の蛍光を発した。
【図面の簡単な説明】
【００４３】
【図１】本発明の第１の実施の形態に係る発光性構造物（窓ガラス、壁パネル又は床パネル）の構成を示す図であり、図１（Ａ）は全体の斜視図、図１（Ｂ）は一部断面平面図である。
【図２】本発明の第２の実施の形態に係る発光性構造物（水槽）の構造を示す斜視図である。
【図３】本発明の第３の実施の形態に係る発光性構造物（芳香剤）の構造を示す斜視図である。
【符号の説明】
【００４４】
１  パネル組立                      ２  表板
３  裏板                            ４  内周側板
５  外周側板                        ６  蛍光物質入り内容物
７  ＬＥＤランプ                    ８  電池
２１  水槽                          ２２  内周側板
２３  外周側板                      ２４  底板
２５  蓋部材                        ２６  蛍光物質入り内容物
２７  ＬＥＤランプ
３１  芳香剤                        ３２  容器本体
３３  キャップ                      ３６  蛍光物質入り芳香物質
３７  ＬＥＤランプ                  ３８  電池
【図１】
2009072937.tif 000004
【図２】
2009072937.tif 000005
【図３】
2009072937.tif 000006